【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
銅・モリブデン複合酸化物、アンチモンドープ酸化スズ（ＡＴＯ）から選ばれる１種以上の無機材料を含有し、かつ、波長７００〜１２０００ｎｍに吸収を有するレーザー発色性印刷インキ皮膜層と、表面保護層とを有してなる記録材。
【請求項２】
顔料を含んでなることを特徴とする請求項１記載の記録材。
【請求項３】
銅・モリブデン複合酸化物、アンチモンドープ酸化スズ（ＡＴＯ）から選ばれる１種以上の無機材料および顔料の総含有量が、レーザー発色性印刷インキ皮膜層１００重量部に対して、０．１〜９０重量部である請求項２記載の記録材。
【請求項４】
顔料が黄色、紅色および藍色顔料から選ばれる１種以上である請求項２記載の記録材。
【請求項５】
顔料が酸化チタン、硫化亜鉛、酸化亜鉛、沈降性硫酸バリウム、炭酸バリウムおよび沈降性炭酸カルシウムから選ばれる１種以上である請求項２記載の記録材。
【請求項６】
顔料がカーボンブラック、グラファイトおよびブラックレーキから選ばれる１種以上の材料を有することを特徴とする請求項２記載の記録材。
【請求項７】
レーザー発色性印刷インキ皮膜層が有色インキと重ね刷りされていることを特徴とする請求項１〜６いずれか記載の記録材。
【請求項８】
有色インキ層が白色インキ層である請求項７記載の記録材。
【請求項９】
レーザー発色性印刷インキ皮膜層が、食品用または産業資材用の包装用積層体と一体となって形成されることを特徴とする請求項１〜８いずれか記載の記録材。
【請求項１０】
レーザー発色性印刷インキ皮膜層が、ウレタン樹脂および／またはニトロセルロース樹脂を含有することを特徴とする請求項１〜９いずれか記載の記録材。
【請求項１１】
レーザー発色性印刷インキ皮膜層が基材に印刷された請求項１〜１０いずれか記載の記録材。
【請求項１２】
基材がプラスチックまたは紙である請求項１１記載の記録材。
【請求項１３】
表面保護層がプラスチックフイルムまたは放射線硬化性樹脂を用いた層である請求項１〜１２いずれか記載の記録材。
【請求項１４】
レーザー発色性印刷インキ皮膜層の波長１０６４ｎｍに対する吸収が０．１〜９５％である請求項１〜１３いずれか記載の記録材。
【請求項１５】
請求項１〜１４いずれか記載の記録材に、ＹＡＧレーザーまたはＹＶＯ４レーザーを照射することを特徴とする記録方法。
【請求項１６】
レーザーが下記（１）〜（３）を少なくとも１つ満たす請求項１５記載の記録方法。
（１）  ８０≧レーザーパワー（％）≧１  （式中、レーザーパワーは、レーザーの最大出力に対する割合を表す。）
（２）  １００≧Ｑ−スイッチ周波数（kHz）≧１  （式中、Ｑ−スイッチ周波数は、１秒当りのパルス数を表す。）
（３）  ４０００≧走査速度（ｍｍ／秒）≧１０
【手続補正２】
【補正対象書類名】明細書
【補正対象項目名】０００９
【補正方法】変更
【補正の内容】
【０００９】
本発明は、銅・モリブデン複合酸化物、アンチモンドープ酸化スズ（ＡＴＯ）から選ばれる１種以上の無機材料を含有し、かつ、波長７００〜１２０００ｎｍに吸収を有するレーザー発色性印刷インキ皮膜層と、表面保護層とを有してなる記録材である。
本発明は、顔料を含んでなることが望ましい。
本発明は、銅・モリブデン複合酸化物、アンチモンドープ酸化スズ（ＡＴＯ）から選ばれる１種以上の無機材料および顔料の総含有量が、レーザー発色性印刷インキ皮膜層１００重量部に対して、０．１〜９０重量部であることが好ましい。
また、前記顔料が黄色、紅色および藍色顔料から選ばれる１種以上であることが好ましい。
また、前記顔料が酸化チタン、硫化亜鉛、酸化亜鉛、沈降性硫酸バリウム、炭酸バリウムおよび沈降性炭酸カルシウムから選ばれる１種以上であることも好ましい。
また、前記顔料がカーボンブラック、グラファイトおよびブラックレーキから選ばれる１種以上であることも好ましい。
【手続補正３】
【補正対象書類名】明細書
【補正対象項目名】００５９
【補正方法】変更
【補正の内容】
【００５９】
３）表面保護層の形成
表面保護層を大別すると、１）レーザー発色性印刷インキ皮膜層上に表面保護層となる塗工液を塗布、乾燥する方法、２）レーザー発色性印刷インキ皮膜層上に、表面保護層となる塗工液を塗布、乾燥し、さらに紫外線照射などによる硬化で形成する方法、３）レーザー発色性印刷インキ皮膜層上に、表面保護層となるフイルムを直接、或いは接着剤層を介して貼り合わせる方法、などで形成することができる。
表面保護層の厚みは特に限定されないが、塗工液から形成する方法においては好ましくは１μｍ以上である。フイルムの貼り合わせで形成する場合は１０μｍ以上が好ましい
【手続補正４】
【補正対象書類名】明細書
【補正対象項目名】００８６
【補正方法】変更
【補正の内容】
【００８６】
（参考例１）
黄色顔料３０部（東洋インキ製造株式会社製ＬＩＯＮＯＬ  ＹＥＬＬＯＷ１８２３Ｇ）、合成例１で得たウレタン樹脂８０部、メチルエチルケトン１０部の混合物をペイントシェーカで練肉し、印刷インキを得た。得られた印刷インキを更に、メチルエチルケトン、酢酸エチル及びイソプロピルアルコールの混合溶剤（重量比50：40：10）で希釈し、ザーンカープ＃３（離合社製）で17秒（２５℃）に調整し、希釈インキを得た。
基材フイルムとしてコロナ放電処理ＰＥＴ（東洋紡績社製「エステルＥ５１０２」、膜厚１２μｍ）の処理面側に、版深３５μｍのグラビア版を用いて印刷速度８０ｍ／分、乾燥温度６０℃で印刷し、印刷物を得た。得られたＰＥＴ印刷物の印刷面側にポリウレタン系アンカーコート剤「ＥＬ５４０／ＣＡＴ−ＲＴ８０」（東洋モートン社製）を塗布し、乾燥させた。塗布面側に溶融ポリエチレンを中間層として低密度ポリエチレン「ＴＵＸ−ＦＣＤ」（トーセロ製、膜厚４０μｍ）を貼り合わせる溶融押し出しラミネーションを行った。得られたラミネート印刷物は４０℃で２日間エージングを施し、最終的にレーザー発色性印刷インキ被膜層がラミネートされた記録材を得た。
【手続補正５】
【補正対象書類名】明細書
【補正対象項目名】００８７
【補正方法】変更
【補正の内容】
【００８７】
（参考例２）
顔料として白色顔料（チタニックスＪＲ８０５、テイカ社製）を使用した以外は、参考例１と同様にして記録材を得た。
【手続補正６】
【補正対象書類名】明細書
【補正対象項目名】００８８
【補正方法】変更
【補正の内容】
【００８８】
（参考例３）
発色剤としてフルオラン系ロイコ染料ＴＧ−１１（２−（２−フルオロフェニルアミノ）−６−ジエチルアミノフルオラン（保土ヶ谷化学社製））を１３部、顕色剤としてメチロール化フェノール（日立化成製）の３０％水溶液３７部、ウレタン樹脂８０部と添加剤として硼酸亜鉛１５部およびメタノール２０部をペイントシェーカで２時間処理した。こうして得られたインキをザーンカップ＃３（離合社製）で１７秒（２５℃）になるようにメタノールで希釈し、グラビア印刷用のレーザー発色性インキを得た。
印刷、ラミネートは参考例１と同様に行って記録材を得た。
【手続補正７】
【補正対象書類名】明細書
【補正対象項目名】００８９
【補正方法】変更
【補正の内容】
【００８９】
（実施例１〜５）
実施例１〜５におけるインキ作成と記録材作成は参考例１と同様である。
実施例１〜５に用いた顔料、染料、無機材料の種類、重量部を表１に示す。無機材料は、単独或いは顔料と一緒に樹脂、溶剤と混合した後にペイントシェーカで分散した。インキ作成に用いたバインダー樹脂、印刷の基材、シーラントフイルム及びラミネート方法も併せて表１に示す。
実施例１〜５についても得られた印刷物の印刷面側にポリウレタン系接着剤「ＴＭ２５０／ＣＡＴ−１０」（東洋モートン社製）を塗布し、乾燥させた。塗布面側にシーラントフイルムを積層することでラミネーションを行った。得られたラミネート印刷物に４０℃で３日間エージングを行った。
【手続補正８】
【補正対象書類名】明細書
【補正対象項目名】００９０
【補正方法】変更
【補正の内容】
【００９０】
【表１】
2007055110.tif 000001
＊  黄色顔料：ＬＩＯＮＯＬ  ＹＥＬＬＯＷ１８２３Ｇ（東洋インキ製造株式会社製）
＊  白色顔料：チタニックスＪＲ８０５（テイカ社製）
＊  フルオラン系ロイコ染料：２−（２−フルオロフェニルアミノ）−６−ジエチルアミノフルオラン（保土ヶ谷化学社製）
＊  藍顔料：ＬＩＯＮＯＬ  ＢＬＵＥ  ７３３０（東洋インキ製造株式会社製）
＊  Ｎｙ：「ＯＮ−ＲＴ」（ユニチカ社製）
＊  ＣＰＰ：「ＣＰ  ＧＨＣ」（トーセロ社製、膜厚３０μｍ）
＊  ＥＬ：エクストルージョンラミネーション（溶融押し出し）
＊  ＤＬ：ドライラミネーション
【手続補正９】
【補正対象書類名】明細書
【補正対象項目名】００９１
【補正方法】変更
【補正の内容】
【００９１】
実施例１〜５で得られた記録材について、ＹＶＯ４レーザー「キーエンス社製ＭＤ-９６００」、ＹＡＧレーザー「キーエンス社製ＭＤ―Ｈ９８００」、及びＣＯ２レーザー「キーエンス社製ＭＬ―Ｇ９３００」使用してレーザーによる印字記録を行った。また、比較の為に７００ｎｍ以下の光源を有するレーザーとしてＮｅ−Ｎｅレーザー（６３２.８ｎｍ、ＮＥＣ社製）を用いた。印字条件を表２に示す。
【手続補正１０】
【補正対象書類名】明細書
【補正対象項目名】００９６
【補正方法】変更
【補正の内容】
【００９６】
【表２】
2007055110.tif 000002